(57)【要約】【課題】架台を効率良く組み立てる。【解決手段】屋根Ｒの桁行方向Ｘに支持杆材３を平行配置し、該支持杆材３上に設けた鉤状突片８に、一側方が開放され、且つ、上面開放端にのみ垂下形成したリップ片１０を設けた溝形鋼から成るパネル取付杆材４の底面開放端１１ａをスライド自在に掛止することで、この杆材４を傾斜した支持杆材３上に安定的に直交配置し、パネル取付杆材４の二面に対応する様に連続形成した上方水平面部１５及び垂直面部１６と、該垂直面部１６に連続して支持杆材３上に当接する様に設けた下方水平面部１７と、リップ片１０を掛止するフック部１８とから成り弾性が付与された留め具１４を用い、フック部１８の内角部１８ａをリップ片１０下端に掛止し、下方水平面部１７を下方押圧することにより、長尺なパネル取付杆材４の支持杆材３との交差部位に留め具１４をワンタッチで装着し、下方水平面部１７を支持杆材３に固定することで架台を構成する。【選択図】　　　　図１
2004011282.tif 000002
【特許請求の範囲】
【請求項１】
屋根の桁行方向に平行配置する支持杆材上に、先端が支持杆材の長手方向へ指向した鉤状突片を所定間隔置きに設け、該鉤状突片に、一側方が開放され、且つ、上面開放端にのみ垂下形成したリップ片を設けた溝形鋼から成るパネル取付杆材の底面開放端をスライド自在に掛止し、パネル取付杆材の上面及び側面の夫々に対応する様に鉤状に連続形成した上方水平面部及び垂直面部と、該垂直面部に連続して支持杆材の上面に当接する様に形成した下方水平面部と、パネル取付杆材のリップ片を掛止する様に上方水平面部の先端を鉤状に下方屈曲して設けたフック部とから成り弾性が付与された留め具を、パネル取付杆材に装着し、下方水平面部を支持杆材に固定したことを特徴とする太陽電池パネル取付け架台。
【請求項２】
太陽電池パネルの対向する枠材上端より水平突設したパネル取付杆の上面との係合片を、留め具の上方水平面部上で押圧する押圧固定板をパネル取付杆材に固定したことを特徴とする請求項１記載の太陽電池パネル取付け架台。
【請求項３】
留め具の上方水平面部には、パネル取付杆材に押圧固定板を固定するボルトの挿通穴を上方水平面部の幅方向に長く形成し、一方、留め具の下方水平面部は、その幅方向に長く形成したボルト挿通穴を通して、該ボルト挿通穴を被覆する座金と共にボルトで支持杆材上に固定したことを特徴とする請求項２記載の太陽電池パネル取付け架台。
【請求項４】
支持杆材を屋根の桁行方向に平行配置し、先端が支持杆材の長手方向に指向する様に支持杆材上に所定間隔置きに設けた鉤状突片に、一側方が開放され、且つ、上面開放端にのみ垂下形成したリップ片を設けた溝形鋼から成るパネル取付杆材の底面開放端をスライド自在に掛止する杆材組付け工程と、パネル取付杆材の上面及び側面の夫々に対応する様に鉤状に連続形成した上方水平面部及び垂直面部と、該垂直面部に連続して支持杆材の上面に当接する様に形成した下方水平面部と、パネル取付杆材のリップ片を掛止する様に上方水平面部の先端を鉤状に下方屈曲して設けたフック部とから成り弾性が付与された留め具を用い、該留め具のフック部の内角部をパネル取付杆材のリップ片の下端に掛止し、留め具の下方水平面部を支持杆材上に当接する様に下方押圧することにより、パネル取付杆材に留め具を装着する留め具装着工程と、留め具の下方水平面部を支持杆材に固定する留め具固定工程とから成ることを特徴とする太陽電池パネル取付け架台の組み付け方法。
【請求項５】
留め具固定工程後、太陽電池パネルの対向する枠材上端より水平突設したパネル取付杆材の上面との係合片を、留め具の上方水平面部上で押圧する押圧固定板をパネル取付杆材に固定したパネル取付け工程を設けたことを特徴とする請求項４記載の太陽電池パネル取付け架台の組み付け方法。
【請求項６】
留め具の上方水平面部には、パネル取付杆材に押圧固定板を固定するボルトの挿通穴を上方水平面部の幅方向に長く形成し、一方、留め具の下方水平面部は、その幅方向に長く形成したボルト挿通穴を通して、該ボルト挿通穴を被覆する座金と共にボルトで支持杆材上に固定したことを特徴とする請求項５記載の太陽電池パネル取付け架台の組み付け方法。
【発明の詳細な説明】
【０００１】
【発明の属する技術分野】
本発明は、太陽電池パネルの取付架台及びその組付け方法に関する。
【０００２】
【従来の技術】
従来、この種の架台は、屋根上に点在させた架台支持具に、角パイプを格子状に組み付けている。
即ち、下側の角パイプを屋根の桁行方向に平行配置した後、これらの角パイプ上に上側の角パイプを屋根の流れ方向に平行配置し、上下の角パイプの直交部位をボルトとナットにて固定していた。
【０００３】
【発明が解決しようとする課題】
しかしながら、架台の組み付けは足場の悪い屋根上でせねばならず、又角パイプは長尺物であるため、特に架台支持具に下側の角パイプを屋根の流れ方向に沿って取付けた後、その上面に上側の角パイプを交差状に配置するときには、この上側の角パイプは、下側の角パイプの傾斜に沿って滑り易く、複数人で上側の角パイプを支えてなければ、位置決めやボルト締めが非常に困難であり、手間、時間を要し、作業効率が悪かった。
【０００４】
【課題を解決するための手段】
本発明は、上記課題に鑑み、支持杆材を屋根の桁行方向に平行配置した後において、先端が支持杆材上の長手方向に指向する様に支持杆材上に所定間隔置きに設けた鉤状突片に、一側方が開放され、且つ、上面開放端にのみ垂下形成したリップ片を設けた溝形鋼から成るパネル取付杆材の底面開放端をスライド自在に掛止することにより、傾斜した支持杆材上で単にパネル取付杆材をその長さ方向にスライドさせるだけで安定的に直交配置する。
そして、パネル取付杆材の上面及び側面の夫々に対応する様に鉤状に連続形成した上方水平面部及び垂直面部と、該垂直面部に連続して支持杆材の上面に当接する様に形成した下方水平面部と、パネル取付杆材のリップ片を掛止する様に上方水平面部の先端を下方屈曲して設けたフック部とから成り弾性が付与された留め具を用い、該留め具のフック部の内角部をパネル取付杆材のリップ片の下端に掛止し、留め具の下方水平面部を支持杆材上に当接する様に下方押圧することにより、長尺なパネル取付杆材における支持杆材との交差部位に留め具をワンタッチで装着し、下方水平面部を支持杆材に固定することにより、架台を構成する様にして、上記課題を解決する。
【０００５】
【発明の実施の形態】
以下本発明の一実施例を図面に基づいて説明する。
１は屋根Ｒ上に配置した架台支持具２に取付けられる太陽電池パネル取付け架台であり、該架台１は、金属製から成る複数本の支持杆材３とパネル取付杆材４とから主に構成される。
架台支持具２は、金属帯板を所定形状に屈曲形成したものにして、屋根Ｒの流れ方向Ｘ前後の屋根瓦Ｔ、Ｔ１間に挿入され、且つ後方の屋根瓦Ｔ１下部（図示例では、野地板Ｆ上に固定した補助板Ｓ）にビス止めされる固定部２ａを一端に設け、他端を鉤状に屈曲してその水平面を支持杆材３を載置する支持部２ｂと成すと共に、該支持部２ｂ上に支持杆材３を固定する支持ボルト２ｃを立設している。
【０００６】
支持杆材３は、断面略Ｃ形のリップ溝形鋼から成り、そのリップ溝の開放側を底部５とし、上面６適所には長手方向に所定長さを有すスリット７を設けると共に、上面６においてパネル取付杆材４を直交配置する部位には、先端が支持杆材３の長手方向へ指向した鉤状突片８を切り起し形成している。
そして、屋根Ｒ上に突出している架台支持具２の支持部２ｂに支持杆材３の底部（リップ）５を載置すると共に、下方よりスリット７を貫通突出した支持ボルト２ｃの突端に座金を挿通してナットＮを締結することにより、支持杆材３を屋根Ｒの桁行方向Ｘに平行配置している。
尚、本実施例では、支持杆材３は上記構成の架台支持具２に固定したものを示したが、支持杆材３を屋根Ｒの桁行方向Ｘに平行配置するものであれば、架台支持具２の構成及び支持杆材３との取付け方式は何ら限定されるものでなく、又架台１は瓦葺き屋根に固定されるものに限らず、スレート葺き屋根に固定するものであっても良い。
【０００７】
パネル取付杆材４は、金属帯板を曲げ加工により屈曲形成したものであり、一側方が開放され、且つ、上面９の開放端にのみ垂下形成したリップ片１０を設けた溝形鋼から成り、このパネル取付杆材４は、リップ片１０を屈曲形成して成ることから、断面コ字状の杆材に比し、曲げ加工時にねじり変形を生じ難く、又強度が向上するため、薄肉金属板を用いることが可能であり、軽量化を図ることができる。
上記構成のパネル取付杆材４は、その底面１１の開放端１１ａを支持杆材３上で鉤状突片８にスライド自在に掛止する様に成して、支持杆材３に対し直交（屋根Ｒの流れ方向Ｙに平行）配置することにより、屋根Ｒ上に支持杆材３とパネル取付杆材４を格子状に配置している。
又、パネル取付杆材４の上面９において、支持杆材３と直交する交差部位近傍には、その長手方向で所定間隔を置いて複数のネジ穴１２を設けている。
そして、パネル取付杆材４の支持杆材３との交差部位における上面９及び側面１３は、これらに夫々合致する様に略Ｚ形に形成された留め具１４によって支持されている。
【０００８】
この留め具１４は、薄肉な帯状金属板を略Ｚ形状に屈曲形成して全体に弾性を付与したものであり、パネル取付杆材４の上面９及び側面１３の夫々に対応する様に鉤状に連続形成した上方水平面部１５及び垂直面部１６と、該垂直面部１６に連続して支持杆材３上面６に当接する様に形成した下方水平面部１７と、パネル取付杆材４のリップ片１０の下端を掛止する様に上方水平面部１５の先端を鉤状に下方屈曲して設けたフック部１８とから成り、上方水平面部１５と下方水平面部１７とは平行にして垂直面部１６の上下で相反方向に突設している。
上方水平面部１５と下方水平面部１７の夫々には、その幅方向に長いボルト挿通穴１９、２０を設けており、各ボルト挿通穴１９、２０は、上方水平面部１５と下方水平面部１７の幅方向中間部位より基端を発して相互に逆方向へ先端が延びる様に形成している。
そして、リップ片１０にフック部１８を掛止し、上面９及び側面１３上に上方水平面部１５と垂直面部１６の夫々を重合する様にしてパネル取付杆材４に留め具１４を装着し、その下方水平面部１７を支持杆材３上に固定することにより、パネル取付杆材４の支持杆材３との交差部位は、鉤状突片８と留め具１４間に挟持された状態で支持杆材３上に固定され、かかる状態において、上方水平面部１５に設けたボルト挿通穴１９は、パネル取付杆材４の上面９に設けたネジ穴１２のいずれかに対応している。
又、留め具１４の支持杆材３への固定は、下方水平面部１７のボルト挿通穴２０を被覆する方形状の座金２１と共にボルト挿通穴２０を挿通したボルトＢを支持杆材３に螺着することにより成される。
【０００９】
上記状態の架台１において、方形板状の太陽電池パネルＰの対向する枠材上端より水平突設したパネル取付杆材４の上面９との係合片Ｐ１を、留め具１４の上方水平面部１５上で押圧する押圧固定板２２をパネル取付杆材４にボルトＢ１で固定している。
上記係合片Ｐ１は、帯板状に形成され、太陽電池パネルＰの対向する枠材上端の長さ方向全域に渡って設けられると共に、その幅は係合片Ｐ１をパネル取付杆材４の上面９に掛止した状態で、上方水平面部１５に設けたボルト挿通穴１９を閉塞しない様に設定している。
又、押圧固定板２２は、パネル取付杆材４の上面９より若干幅小にして、留め具１４の上方水平面部１５の幅より長尺な長さを有する帯板２２ａと、該帯板２２ａの長手側端縁に垂設した帯板状の抑え片２３とから成り、該抑え片２３で係合片Ｐ１と共に上方水平面部１５を押圧する様に、押圧固定板２２を挿通したボルトＢ１を上方水平面部１５のボルト挿通穴１９に連通するパネル取付杆材４のネジ穴１２に螺着することにより、太陽電池パネルＰをパネル取付杆材４（架台１）に固定一体化している。
【００１０】
次に、架台１の組み付け方法について以下工程順に説明する。
（１）杆材組付け工程
屋根Ｒ上に設置する太陽電池パネルＰの使用数に応じて屋根Ｒ上の適所に架台支持具２が取付けた後において、屋根Ｒ上にはその縦横に適宜間隔を設けて架台支持具２の支持部２ｂが点在している。
そして、屋根Ｒの流れ方向Ｙに並ぶ支持部２ｂの各列郡上に支持杆材３を配置する。
即ち、支持杆材３の底部５を支持部２ｂ上に載置すると共に、支持ボルト２ｃを下方よりスリット７へ挿通し、スリット７に沿って支持杆材３をその長手方向（屋根Ｒの流れ方向Ｙに相当）へスライドして位置決めし、スリット７より上方突出した支持ボルト２ｃの突端に座金を挿通してナットＮを締結し、支持杆材３を屋根Ｒの桁行方向Ｘに平行配置する。
上記の様に支持杆材３をその長手方向にスライドすることにより、各支持杆材３の桁行方向Ｘで隣接する鉤状突起８同士が流れ方向Ｙに平行な任意の軸線上に位置する様に成している。
次に、鉤状突片８にパネル取付杆材４の底面開放端１１ａを掛止し、パネル取付杆材４をその長手方向（屋根Ｒの桁行方向Ｘに相当）にスライドすることにより、その上面９に設けたネジ穴１２を支持杆材３との交差部位に対応する様に位置決めし、支持杆材３上でパネル取付杆材４を直交（流れ方向Ｙに平行）配置し、支持杆材３とパネル取付杆材４とが格子状に組み付けられる。
（２）留め具装着工程
図４（ａ）に示す様に、パネル取付杆材４の支持杆材３との交差部位において、その上面９のリップ片１０の下端に、留め具１４の下方水平面部１７を斜め上向きな姿勢でそのフック部１８の内角部１８ａを掛止すると共に、垂直面部１６の中間辺りを上面９と側面１３との角部に接触させて下方水平面部１７を下方押圧すると、上方水平面部１５と垂直面部１６との角部が一旦弾性拡開した後、リップ片１１、上面９及び側面１３上の夫々に、フック部１８の垂下部１８ｂ、上方水平面部１５及び垂直面部１６が重合することで留め具１４は弾性復帰し、図４（ｂ）に示す様に、下方水平面部１７が支持杆材３の上面６に当接した状態でパネル取付杆材４の支持杆材３との交差部位に留め具１４が装着される。
（３）留め具固定工程
下方水平面部１７上に、そのボルト挿通穴２０を被覆する座金２１を配置すると共に、該座金２１とボルト挿通穴２０を通してボルトＢを支持杆材３上に仮止め（ボルトを緩めた状態）する。
これにより、パネル取付杆材４は、鉤状突片８と留め具１４との間にスライド自在に挟持される。
そして、留め具１４をボルト挿通穴１９、２０の長さの範囲内でその幅方向（パネル取付杆材４の長手方向に相当）にスライドさせ、パネル取付杆材４の上面９に設けたネジ穴１２のいずれかを上方水平面部１５のボルト挿通穴１９に連通させる。
この後、仮止め状態の上記ボルトＢを締め付けることにより、下方水平面部１７は支持杆材３の上面６と座金２１間に堅固に挟持されると共に、パネル取付杆材４のリップ片１０、上面９及び側面１３の夫々に、フック部１８（垂下部１８ｂ）、上方水平面部１５及び垂直面部１６が密着するため、パネル取付杆材４と留め具１４とは相互にスライドできなく成り、パネル取付杆材４の支持杆材３との交差部位は、支持杆材３上で完全に固定される。
（４）パネル取付け工程
太陽電池パネルＰの係合片Ｐ１をパネル取付杆材４の上面９に掛止することにより、太陽電池パネルＰを架台１に配置する。
そして、留め金１３の上方水平面部１５上の係合片Ｐ１上に押圧固定板２２を配置すると共に、押圧固定板２２に挿通したボルトＢ１を上方水平面部１５のボルト挿通穴１９に連通するネジ穴１２に螺着することにより、押圧固定板２２の抑え片２３がパネル取付杆材４の上面９で係合片Ｐ１と上方水平面部１５とを押圧し、これにより、係合片Ｐ１と上方水平面部１５は上面９と押圧固定板２２の間に堅固に挟持され、太陽電池パネルＰは架台１に一体的に固定される。
尚、軒側のパネル取付杆材４に取付ける押圧固定板２２は、図２に示す様に、円弧上の垂れを設けた変形タイプを使用しても良い。
【００１１】
【発明の効果】
要するに本発明は、支持杆材３を屋根Ｒの桁行方向Ｘに平行配置し、先端が支持杆材３の長手方向に指向する様に支持杆材３上に所定間隔置きに設けた鉤状突片８に、一側方が開放され、且つ、上面開放端にのみ垂下形成したリップ片１０を設けた溝形鋼から成るパネル取付杆材４の底面開放端１１ａをスライド自在に掛止したので、屋根Ｒに沿って傾斜した支持杆材３上で単にパネル取付杆材４をその長さ方向にスライドさせるだけで安定的にして容易に直交配置できる。
上記パネル取付杆材４は、リップ片１０を設けているため、断面コ字状の杆材に比し、強度向上させることができ、その素材を薄肉にして軽量化を図ることができ、作業性をより良好にできる。
又、パネル取付杆材４の上面９及び側面１３の夫々に対応する様に鉤状に連続形成した上方水平面部１５及び垂直面部１６と、該垂直面部１６に連続して支持杆材３上面６に当接する様に形成した下方水平面部１７と、パネル取付杆材４のリップ片１０を掛止する様に上方水平面部１５の先端を下方屈曲して設けたフック部１８とから成り弾性が付与された留め具１４を用い、該留め具１４のフック部１８の内角部１８ａをパネル取付杆材４のリップ片１０下端に掛止し、留め具１４の下方水平面部１７を支持杆材３上に当接する様に下方押圧することにより、長尺なパネル取付杆材４における支持杆材３との交差部位に留め具１４をワンタッチで装着でき、かかる装着に際しては、パネル取付杆材４は支持杆材３の鉤状突片８で支持されているため、従来の様に複数人でパネル取付杆材４を支える必要がなく、留め具１４の下方水平面部１７を支持杆材３に固定するだけで、パネル取付杆材４の支持杆材３との交差部位と装着一体化した留め具１４を支持杆材３に固定できると共に、該留め具１４（垂直面部１６）と鉤状突片８との間にパネル取付杆材４の支持杆材３との交差部位が堅固に挟持でき、頑丈な架台１を簡単容易に組み付けることができる。
しかも、上記構成の留め具１４は、フック部１８においてその先端と上方水平面部１５とはリップ片１０と同長の間隔を以て離間しているため、リップ片１０下端にフック部１８の内角部１８ａが引っ掛け易く、該内角部１８ａがリップ片１０の下端に掛止し、下方水平面部１７を下方押圧する時には、内角部１８ａが支点となり、この支点は下方水平面部１７に押圧力を作用させている間、常にリップ片１０の下端で支持されてズレ動かないため、抵抗なく比較的軽度な押圧力にて留め具１４をパネル取付杆材４に容易に装着でき、留め具１４の装着作業効率をより向上させることできる。
【００１２】
留め具１４の下方水平面部１７を支持杆材３に固定した後、太陽電池パネルＰの対向する枠材上端より水平突設したパネル取付杆材４の上面９との係合片Ｐ１を、留め具１４の上方水平面部１５上で押圧する押圧固定板２２をパネル取付杆材４に固定したので、係合片Ｐ１と上方水平面部１５を上面９と押圧固定板２２の間に堅固に挟持でき、留め具１４の上方水平面部１５をパネル取付杆材４に圧接一体してより一層支持杆材３に対するパネル取付杆材４の組み付け強度を向上させることと、太陽電池パネルＰを架台１に固定一体化することが、押圧固定板２２の固定で一度にできる。
しかも、パネル取付杆材４を介して隣接する太陽電池パネルＰの係合片Ｐ１は同一のパネル取付杆材４の上面９に配置されるため、一枚の押圧固定板２２の固定で２組の係合片Ｐ１を一度に押圧でき、その作業効率を向上できる。
【００１３】
留め具１４の上方水平面部１５には、パネル取付杆材４に押圧固定板２２を固定するボルトＢ１の挿通穴１９を上方水平面部１５の幅方向に長く形成し、一方、留め具１４の下方水平面部１７は、その幅方向に長く形成したボルト挿通穴２０を通して、該ボルト挿通穴２０を被覆する座金２１と共にボルトＢで支持杆材３上に固定したので、パネル取付杆材４に設けた押圧固定板２２の固定用ボルトＢ１のネジ穴１２がボルト挿通穴１９と若干位置ずれしても、パネル取付杆材４に装着した留め具１４の下方水平面部１７をボルトＢで仮止めした状態で、ボルト挿通穴１９、２０の長さの範囲内で留め具１４をパネル取付杆材４の長手方向にスライドさせることにより、ネジ穴１２をボルト挿通穴１９に連通させる様に容易に調整でき、不都合なくパネル取付杆材４に押圧固定板２２をボルトＢ１で固定できる。
又、上記調整後、下方水平面部１７の固定用ボルトＢを締め付けることにより、下方水平面部１７は支持杆材３の上面６と座金２１間に堅固に挟持されると共に、パネル取付杆材４のリップ片１０、上面９及び側面１３の夫々に、フック部１８、上方水平面部１５及び垂直面部１６が密着し、パネル取付杆材４の支持杆材３との交差部位をずれなく支持杆材３上に強固に固定できる等その実用的効果甚だ大である。
【図面の簡単な説明】
【図１】太陽電池パネル取付け架台の分解斜視図である。
【図２】上記架台の断面図である。
【図３】図２の要部拡大図である。
【図４】留め具の取付け手順を示す斜視図である。
【符号の説明】
３　　支持杆材
４　　パネル取付杆材
６　　上面
８　　鉤状突片
９　　上面
１０　　リップ片
１１ａ　底面開放端
１３　　側面
１４　　留め具
１５　　上方水平面部
１６　　垂直面部
１７　　下方水平面部
１８　　フック部
１８ａ　内角部
１９　　ボルト挿通穴
２０　　ボルト挿通穴
２１　　座金
２２　　押圧固定板
Ｂ　　ボルト
Ｂ１　ボルト
Ｐ　　太陽電池パネル
Ｐ１　係合片
Ｒ　　屋根
Ｘ　　桁行方向
【図１】
2004011282.tif 000003
【図２】
2004011282.tif 000004
【図３】
2004011282.tif 000005
【図４】
2004011282.tif 000006